(57)【要約】      （修正有）【課題】かんざし全体の本来の装飾を表現することができ、かつ、当該かんざしの変形を防止可能なかんざし展示用ケースを提案する。【解決手段】かんざし展示用ケースは、収納ケース２０と、かんざし１０を支持し、当該収納ケース内２０に収納される、透明性を有するプラスチック素材等の合成樹脂からなり、底面３１と、当該底面３１と鋭角をなす支持面３２から形成される支持台３０と、を有する。また、支持面３２には、当該かんざし１０の足部を固定する固定部３３（固定具）が設けられている。【選択図】図５
0003152238.tif 000002
【実用新案登録請求の範囲】
【請求項１】
展示用にかんざしを収納するかんざし展示用ケースであって、
前記かんざしを収納する収納ケースと、
前記かんざしを支持し、当該かんざしと共に前記収納ケースに収納される支持台と、を備え、
前記支持台は、
鋭角をなす、底面とかんざしを支持する支持面と、を有し、
当該支持面上に前記かんざしの足部が固定されることで、当該かんざしを支持することを特徴とするかんざし展示用ケース。
【請求項２】
前記かんざしを支持するために、前記支持台の前記支持面に、前記かんざしの足部を固定する固定具を設けることを特徴とする請求項１に記載のかんざし展示用ケース。
【請求項３】
前記固定具は、ゴム状素材からなることを特徴とする請求項２に記載のかんざし展示用ケース。
【請求項４】
前記収納ケースは、円柱状に形成されていることを特徴とする請求項１に記載のかんざし展示用ケース。
【請求項５】
前記収納ケースは、直方体状に形成されていることを特徴とする請求項１に記載のかんざし展示用ケース。
【請求項６】
前記収納ケースは、多角柱状に形成されていることを特徴とする請求項１に記載のかんざし展示用ケース。
【請求項７】
前記支持台の前記支持面は、前記かんざしの足部が挿入される孔を有し、
前記かんざしの足部が前記孔に挿入されることで、当該かんざしが前記支持台に支持されることを特徴とする請求項１に記載のかんざし展示用ケース。
【考案の詳細な説明】
【技術分野】
【０００１】
本考案は、かんざしを店舗や展示会等において展示する展示用ケースに関する。
【背景技術】
【０００２】
従来から、正月、七五三や成人式などのお祝い時において、平打かんざし、玉かんざし、つまりかんざしや飾りかんざしなど、様々な種類のかんざしが、女性の髪の装飾品として用いられている。そして、これらのかんざしが店舗や展示会等において展示される場合、例えば、テーブル等に寝かせて置かれるのが一般的である。
【考案の概要】
【考案が解決しようとする課題】
【０００３】
ところで、上記のかんざしのうち、つまみかんざし１０は、図１０に示す通り、立たせた状態において、絹を用いて作られた花等の主装飾部１１に、足部１２に沿うように垂れ装飾部１３が設けられ構成されるのが一般的である。
【０００４】
しかしながら、従来の展示方法のように、このつまみかんざし１０をテーブルやケース等の上に寝かせて展示してしまうと、図１１に示す通り、つまみかんざし１０が本来有する装飾が表現されず、華麗さや優雅さは損なわれてしまう。特に、つまみかんざし１０の垂れ装飾部１３は、立たせた状態、あるいは頭髪に装着した状態において、通常、主装飾部１１から下方へ垂れることで独特の美しさを表現するものであるが、寝かせて展示されてしまうと、このような美しさを表現することはできない。つまり、従来から用いられる寝かせて展示する方法は、つまみかんざし１０の装飾全体を本来の姿で展示することができない。
【０００５】
さらに、つまみかんざし１０が寝かせた状態で長時間展示させると、緻密に作られた主装飾部１１及び垂れ装飾部１３が変形するといった問題が生じる。
【０００６】
本考案は、上記のような課題を解消するために提案されたものであって、その目的は、かんざし全体の本来の装飾を表現することができ、かつ、当該かんざしの変形を防止可能なかんざし展示用ケースを提案することにある。
【課題を解決するための手段】
【０００７】
上記の目的を達成するため、展示用にかんざしを収納するかんざし展示用ケースであって、前記かんざしを収納する収納ケースと、前記かんざしを支持し、当該かんざしと共に前記収納ケースに収納される支持台と、を備え、前記支持台は、鋭角をなす、底面とかんざしを支持する支持面と、を有し、当該支持面上に前記かんざしの足部が固定されることで、当該かんざしを支持することを特徴とする。
【０００８】
以上のような態様では、鋭角をなす、底面と支持面とを有する支持台を用いているので、傾斜状の支持面にかんざしを支持することができる。そのため、つまみかんざしを収納する場合であれば、つまみかんざしの垂れ装飾部を主装飾部から下方に垂らすことができるので、本来つまみかんざしが実現すべき装飾を表現することが可能となる。
【考案の効果】
【０００９】
本考案によれば、かんざしを展示する場合であっても、寝かせることなく、傾斜を有する支持台に支持することができるので、かんざし本来の装飾を表現することが可能なかんざし展示用ケースを提案することができる。特に、つまみかんざしの垂れ装飾部を主装飾部から下方に垂らすことができるので、つまみかんざしの華麗さや優雅さを損なうことなく表現することが可能となる。また、かんざしの足部を固定するのみで、寝かせた状態で展示しないので、当該かんざしの変形を防止することが可能となる。
【図面の簡単な説明】
【００１０】
【図１】本考案の実施形態におけるかんざし展示用ケースの収納ケースの構成例を示す図。
【図２】本考案の実施形態におけるかんざし展示用ケースの支持台の構成例を示す図（１）。
【図３】本考案の実施形態におけるかんざし展示用ケースの支持台の構成例を示す図（２）。
【図４】本考案の実施形態におけるかんざし展示用ケースの支持台にかんざしが装着された状態を示す図。
【図５】本考案の実施形態におけるかんざし展示用ケースの全体図。
【図６】本考案の実施形態におけるかんざし展示用ケースの収納ケースが直方体である場合の全体図。
【図７】本考案の他の実施形態におけるかんざし展示用ケースの支持台に２本のかんざしが支持される場合の全体図。
【図８】本考案の他の実施形態におけるかんざし展示用ケースの支持台の支持面に孔が形成された場合の全体図。
【図９】本考案の他の実施形態におけるかんざし展示用ケースの支持台の構成例を示す図。
【図１０】本考案の実施形態におけるかんざしの構成例を示す図。
【図１１】本考案の従来技術におけるかんざしの展示態様を示す図。
【考案を実施するための形態】
【００１１】
［本実施形態］
次に、本考案を実施するための形態を、図１〜３を参照して説明する。
【００１２】
本考案であるかんざし展示用ケースは、かんざし１０を収納する収納ケース２０と、収納ケース２０内でつまみかんざし１０（以下、かんざし１０とも称する。）を支持する支持台３０と、から構成される。
【００１３】
収納ケース２０は、透明性を有するプラスチック素材等の合成樹脂からなり、図１に示すように、底面が円状、楕円状からなる円柱や（図１（ａ）（ｂ）参照。）、直方体（図１（ｃ）参照。）、又は、底面が５角形、６角形等の多角柱（図１（ｄ）、（ｅ）参照。）、などの形状を有している。なお、収納ケース２０の素材は、中に収納されるかんざし１０を見ることができれば、特に限定するものではなく、また、形状も、かんざし１０及び支持台３０を収納することができれば、特に限定するものではない。
【００１４】
支持台３０は、収納ケース２０と同様の透明性を有するプラスチック素材等の合成樹脂からなり、図２に示すように、底面３１と、当該底面３１と鋭角をなす支持面３２と、から形成される。ここで、底面３１と支持面３２とがなす鋭角は、かんざし１０本来の装飾を表現する上で、６０〜８０度の角度が好ましい。特に、つまみかんざし１０は、この６０〜８０度の範囲内であれば、垂れ装飾部１３を、寝た状態ではなく下方に垂れるよう飾ることができるので、本来の美しさを表現することが可能となる。
【００１５】
また、支持面３２には、かんざし１０の足部１２が取り付けられるため、当該かんざし１０の足部１２を固定する固定部３３（固定具に対応する。）が設けられている。この固定部３３は、かんざし１０の足部１２を固定することができれば、素材や形状を特に限定するものでないが、図２に示す例では、当該固定部３３にゴム状素材を用い、足部１２を支持面３２との間で挟むよう構成される。
【００１６】
なお、つまみかんざし１０は、通常、足部が２本であるが、足部１２が１本のかんざし１０を支持する場合には、固定部３３は、支持面３２上において、１本の足部１２に沿う位置に１つ以上配設される（図２では２つ。）。
【００１７】
足部１２を２本有するかんざし１０を支持する場合には、この２本の足部１２は、支持面を挟むよう装着されるので、当該固定部３３は、各々の足部１２を支持面３２との間で挟むために、当該支持面３２の両面において、足部１２に沿う位置に１以上配設される。例えば、図３で言えば、支持面３２の各面において、かんざし１０の足部１２に沿うように２つの固定部３３が設けられている（両面で計４つ。）。
【００１８】
このように構成される支持台３０は、底面３１が収納ケース２０の底面と重なるかたちで、当該収納ケース２０に収納される。
【００１９】
［２．使用方法］
次に、上記のような構成を有するかんざし展示用ケースの使用方法を、図４及び５を参照して、以下に説明する。ここでは、収納ケース２０を円柱状とし、足部１２を２本有するかんざし１０を支持するかんざし展示用ケースを例に挙げて説明する。
【００２０】
図４に示す通り、まず、支持台３０の支持面３２に対して、上方からかんざし１０の２本の足部１２を挟むように装着し、各々の足部１２を支持面３２と間で固定部３３により固定する。そして、支持台３０に固定されたかんざし１０を、当該支持台３０と共に、収納ケース２０に収納する（図５参照。）。収納ケース２０に蓋がある場合には、蓋をすることでかんざし１０の展示用パッケージが完成する。
【００２１】
なお、図５では、円柱の収納ケース２０を用いているが、直方体の収納ケース２０を採用した場合のかんざし１０の収納例を、図６に示す。
【００２２】
以上のような本実施形態によれば、ケース内にかんざしを展示する場合であっても、寝かせることなく、かんざし本来の装飾を表現することが可能となる。特に、つまみかんざしの垂れ装飾部を主装飾部から下方に垂らすことができるので、つまみかんざしの華麗さや優雅さを損なうことなく表現することが可能なとなる。また、かんざしの足部を固定するのみで、寝かせた状態で展示しないので、当該かんざしの変形を防止することもできる。
【００２３】
［他の実施形態］
（１）なお、本考案は、上記のような１つの支持台３０に１本のかんざし１０を支持する実施形態に限定するものではなく、１つの支持台３０に２本のかんざし１０を支持する実施形態も包含する。
【００２４】
具体的には、２本のかんざし１０を１つの支持台３０で支持するので、この２本のかんざし１０が重ならない程度に間隔をあける必要があり、そのため、支持台３０の支持面３２の面積を広くとり、また、固定部３３も、それぞれのかんざし１０の足部１２を固定するよう各足部１２に沿って支持面３２に配設される。１つの支持台３０に２本のかんざし１０を固定し、当該２本のかんざし１０及び支持台３０を直方体の収納ケース２０に収納した収納例は、図７に示す通りである。
【００２５】
（２）また、本考案は、上記のような固定部３３を支持面３２に設ける構成に限定するものではなく、支持面３２に、かんざし１０の足部１２を挿入し固定するための孔３４を設けた実施形態も包含する。例えば、図８に示す通り、支持台３０の支持面３２に孔３４を開け、かんざし１０の２本の足部１２のうち、１本を当該孔３４に挿入することで、足部１２を支持面３２に引っ掛けるよう固定する。さらに、図示しないが、支持面３２に孔３４を複数設け、かんざし１０の足部１２が当該複数個の孔３４に挿入されることで、当該かんざし１０を固定することも可能である。
【００２６】
また、支持面３２に設けた孔３４を囲う部分を、支持面３２に対して垂直となるように切り曲げ、かんざし１０の足部１２を当該孔３４に挿入することで、当該かんざし１０を支持面３２上に支持する実施形態も有している。なお、切り曲げた部分の孔３４の代わりに、例えば、Ｕ字型の切欠部を設け、当該切欠部にかんざし１０の足部を引っ掛けることで、当該かんざし１０を支持面３２上に支持する実施形態も包含する。
【００２７】
（３）また、本考案は、上記のような、底面３１と支持面３２とからなる支持台３０の構成に限定するものではなく、この底面３１と支持面３２に加えて、鋭角をなす当該底面３１と支持面３２を繋ぐよう当該鋭角の対向部分に、接続部３５を備えた支持台３０を有する実施形態も包含する。この接続部３５は、底面３１に鋭角をなして繋がれる支持面３２を支える役目を果たし、また、図９に示すような面状であっても、あるいは棒状（図示しない）であっても構わない。
【００２８】
（４）また、本考案は、上記のように、支持台３０の構成として、底面３１と支持面３２とが鋭角をなす形状に限定するものではなく、当該底面３１と支持面３２とが直角をなす支持台３０を有する実施形態も包含する。
【符号の説明】
【００２９】
１０…つまみかんざし
１１…主装飾部
１２…足部
１３…垂れ装飾部
２０…収納ケース
３０…支持台
３１…底面
３２…支持面
３３…固定部
３４…孔
３５…接続部
【図１】
0003152238.tif 000003
【図２】
0003152238.tif 000004
【図３】
0003152238.tif 000005
【図４】
0003152238.tif 000006
【図５】
0003152238.tif 000007
【図６】
0003152238.tif 000008
【図７】
0003152238.tif 000009
【図８】
0003152238.tif 000010
【図９】
0003152238.tif 000011
【図１０】
0003152238.tif 000012
【図１１】
0003152238.tif 000013